(57)【特許請求の範囲】
【請求項１】
上面が開口され、側面部または背面部の一部に切欠き部を形成した硬貨収容部と、
前記硬貨収容部の前面に開口した硬貨の払出し口と、
前記硬貨収容部内に配置された駆動装置と、
前記駆動装置の回転軸の途中に取り付けられた回転ディスクと、
前記回転軸に取り付けられ、前記硬貨収容部の前記切欠き部の下端部より略上部でほぼ水平面で回転するように設けられた弾性体の回転アームと、
前記硬貨収容部の前記切欠き部に対応する部位に切欠き部を設け前記硬貨収容部の側部に取り付けられたオーバーフロー硬貨用シュートと、
を具備したことを特徴とする自動販売機の硬貨払出し装置。
【請求項２】
前記回転アームの先端部および取付け部は、コイルばねであることを特徴とする請求項１記載の自動販売機の硬貨払出し装置。
【発明の詳細な説明】
【０００１】
【発明の属する技術分野】
本発明は、券売機や自動販売機等（以下総称して自動販売機という）に使用される硬貨払出し装置に関するものである。
【０００２】
【従来の技術】
従来、自動販売機で食券や商品を販売する際に釣銭を返却することを要するため、自動販売機の扉の後側に釣銭返却用の硬貨払出し装置を設置している。この硬貨払出し装置の動作には高い信頼性が求められることはもちろん、釣銭切れにならないように、常に一定量の釣銭用硬貨を硬貨払出し装置内に確保しておき即座に払出せるようにしておく必要がある。以下、自動販売機の硬貨払出し装置の従来例について、図３〜図５を参照して具体的に説明する。図３は従来の自動販売機用硬貨処理装置を概略的に示す側面図であり、図４は正面図である。図５は従来の硬貨払出し装置において硬貨収容部の切欠き部にオーバーフローした硬貨がブリッジを形成して詰まった状態を示した図である。
【０００３】
図３に示すように、自動販売機４０の扉４１には硬貨１の投入口２が設けられている。この投入口２には投入口シュート２ａが連結されており、投入された硬貨１が自動販売機本体４２内に導かれるようになっている。投入口シュート２ａの下方には硬貨１の種類を識別する硬貨識別機３が配置されている。投入口シュート２ａの下端部は自動販売機４０の扉４１が閉まった状態で硬貨識別機３側の投入部３ａに対置されるようになっている。
【０００４】
硬貨識別機３の下部には硬貨払出し装置用シュート４が取付けられており、その下方には硬貨を種類ごとに溜めておく複数の硬貨払出し装置５が配置されている。この硬貨払出し装置５は、それぞれ１０円、５０円、１００円、５００円の各種硬貨用として、通常４つ設けられる。硬貨払出し装置用シュート４は硬貨識別機３にて識別された硬貨１を各硬貨払出し装置５へ導くように構成されている。
【０００５】
各硬貨払出し装置５に蓄えられた硬貨は、釣銭として、この硬貨払出し装置５の払出し口から払出しシュート７、搬出シュート１０をとおって受口１１に払出される。搬出シュート１０は、自動販売機の扉４１が閉まった状態で払出しシュート７に対置されるようになっている。さらに、硬貨払出し装置５の下方にはオーバーフローした硬貨１を保管する金庫１４が配置されている。
【０００６】
図５に示すように、硬貨払出し装置５には、上面が開口された直方体状の硬貨収容部５ａが設けられており、前面部には釣銭用の硬貨１を払出す払出し口５ｂが形成されている。背面部または側面部には硬貨収容部５ａから硬貨１をオーバーフローさせる切欠き部５ｃが形成されている。この切欠き部５ｃに対応する部位に切欠き部を設けたオーバーフロー硬貨用シュート１３が硬貨収容部５ａの側部に取り付けられている。
【０００７】
以上の構成を有する自動販売機の硬貨処理装置では、釣銭は硬貨払出し装置５の払出し口５ｂから払出され、また、硬貨払出し装置５の硬貨収容部５ａ内に硬貨１が溜まっていき、硬貨収容部５ａの収容量の限度を超えると、自然に硬貨１が切欠き部５ｃからオーバフロー硬貨用シュート１３に落ち、ここを通って金庫１４内へ自動的に移動し保管される。このようにして、釣銭として必要な硬貨を常にほぼ一定量硬貨払出し装置５の中に確保することができる。
【０００８】
【発明が解決しようとする課題】
しかしながら、上記の従来例には次のような問題点があった。すなわち硬貨払出し装置５の硬貨収容部５ａからオーバーフロー硬貨用シュート１３までの硬貨の移動が硬貨自身の重力に頼るため、硬貨が切欠き部５ｃ付近で詰まるという欠点がある。なぜなら、図５に示すように硬貨が切欠き部５ｃの上でブリッジ３１を形成し、オーバーフロー硬貨用シュート１３から下に設けた金庫に落ちなくなってしまうという現象がおきる恐れがある。このため、硬貨払出し装置５の硬貨収容量の限度を超えてしまい、硬貨１が硬貨収容部５ａから溢れたり硬貨払出し装置用シュート４と硬貨払出し装置５の間で詰まったりする。これにより、硬貨払出し装置内の硬貨量が不足し、釣銭の払出し動作が停滞する恐れがあった。
【０００９】
本発明は、上記の課題を解決するために提案されたものであり、その主な目的は、硬貨処理装置における硬貨払出し装置の硬貨詰まりをなくして釣銭の払出し動作が良好な、高い信頼性を有する自動販売機を提供することにある。
【００１０】
【課題を解決するための手段】
本発明は、前記課題を解決するために、自動販売機の硬貨処理装置の硬貨払出し装置において、次のような特徴を有している。
【００１１】
請求項１の発明は、硬貨払出し装置が、上面が開口され、側面部または背面部の一部に切欠き部を形成した硬貨収容部と、前記硬貨収容部の前面に開口した硬貨の払出し口と、前記硬貨収容部内に配置された駆動装置と、前記駆動装置の回転軸の途中に取り付けられた回転ディスクと、前記回転軸に取り付けられ、前記硬貨収容部の前記切欠き部の下端部より略上部でほぼ水平面で回転するように設けられた弾性体の回転アームと、前記硬貨収容部の前記切欠き部に対応する部位に切欠き部を設け前記硬貨収容部の側部に取り付けられたオーバーフロー硬貨用シュートと、を具備したことを特徴としている。
【００１２】
以上の構成を有する請求項１の発明では、硬貨払出し装置の回転軸に取り付けられ、硬貨収容部の切欠き部の下端部より略上部でほぼ水平面で回転するように設けられた弾性体の回転アームが、硬貨収容部内に溜まった余分な硬貨を硬貨収容部の切欠き部からオーバーフロー硬貨用シュートに押し出したり弾き飛ばしたりする。このため、釣銭として必要な量以上の硬貨が硬貨収容部に溜まることがなく、硬貨払出し装置の硬貨詰まりをなくすることができる。
【００１３】
請求項２の発明は、前記回転アームの先端部および取付け部は、コイルばねであることを特徴とする。
【００１４】
以上の構成を有する請求項２の発明では、回転アームの先端部と取付け部をコイルばねにすることによって、硬貨を有効に押し出すための適度の弾性力を有する回転アームを低いコストで製造し、また、簡単に回転アーム用軸に取り付けることができる。
【００１５】
【発明の実施の形態】
本発明の実施の形態を図１、図２を参照して説明する。図１は本発明による一実施例にかかる硬貨払出し装置の正面破断図、図２は同じく平面図である。図２の２点鎖線の部分は、隣接する別種類の硬貨用の硬貨払い出し装置を示している。本実施例では、図３〜図５に示した従来例と同一の部材には同一の符号を付して説明は省略する。
【００１６】
図１および図２に示すように、硬貨払出し装置５には上面が開口された直方体状の硬貨収容部５ａが設けられており、前面部には釣銭用の硬貨１を払出す払出し口５ｂが形成されている。この硬貨収容部５ａの側面部には収容部５ａから硬貨１をオーバーフローさせる切欠き部５ｃが形成されている。この切欠き部５ｃにはオーバーフローした硬貨１を金庫へ導くオーバーフロー硬貨用シュート１３が取付けられている。
【００１７】
硬貨収容部５ａの下部には回転ディスク２１が配置され、この回転ディスク２１は複数の硬貨受け孔２１ａを有し、払出し通路２２に硬貨を１つづつ払出す構造となっている。払出し通路２２の出口は払出し口５ｂとなっており、硬貨払出し装置５の前面部に開口している。回転ディスク２１は、基板２３に取り付けられた駆動装置２５の回転軸２７に取り付けられ、駆動装置２５により回転されるようになっている。また、この回転軸２７の上部には弾性体で構成される回転アーム２８が取り付けられている。
【００１８】
以下、この回転アーム２８の構成の一実施例を説明する。この回転アーム２８は焼入れした鋼などの弾性体で構成され、直線部２８ａ、先端部２８ｂおよび回転軸２７への取付け部２８ｃからなっている。先端部２８ｂと取付け部２８ｃはコイル状の形状となっている。回転アーム２８は、硬貨払出し装置５の切欠き部５ｃの下端部より略上部でほぼ水平面で回転するようになっている。
【００１９】
本実施例では、回転アーム２８の取付け部２８ｃのコイルばねを回転軸２７の上部に切ったねじに螺合して固定している。なお、回転軸２７の上部に切ったねじのピッチは、取付け部２８ｃのコイルばねの巻ピッチに合わせて切られている。回転軸２７に切ったねじは、その回転の方向に対して閉まる方向すなわち図１、図２の場合は右ねじに切られている。取付け部２８ｃのコイルの巻方向も同一である。
【００２０】
今、図示しない制御装置から釣銭払出信号が出力されると、駆動装置２５が駆動して回転ディスク２１が所定角度回転し、払出し口５ｂから所定個数の釣銭を払出す。同時に回転アーム２８が回転し、その回転面より上部に溜まった硬貨を硬貨収容部５ａの切欠き部５ｃをとおしてオーバーフロー硬貨用シュート１３に押し出す。
【００２１】
本来、硬貨収容部５ａ内に硬貨１が溜まっていき、硬貨収容部５ａの収容量の限度を超えると、自然に硬貨１が切欠き部５ｃからオーバフロー硬貨用シュート１３に落ちるが、ブリッジを形成したりして切欠き部５ｃをふさいだ硬貨３０（点線で表示した部分）も、回転アーム２８によって押し出されオーバフロー硬貨用シュート１３に落下する。このようにして、硬貨払出し装置５に硬貨が詰まったりすることなく、釣銭として必要な硬貨を常にほぼ一定量硬貨払出し装置５の中に確保することができる。
【００２２】
回転アーム２８は弾性体で構成されているため、切欠き部５ｃにブリッジ状に溜まった硬貨に先端部２８ｂが当接しても阻害されずに逃げて回転することができる。また、硬貨を押し出すだけでなく、弾性力により弾き飛ばすことができるので、硬貨収容部５ａ内で切欠き部５ｃの下端部より上部に溜まった硬貨を効果的にオーバーフロー硬貨用シュート１３に落とすことができる。回転アーム２８は釣銭を払い出す度に所定角度回転する。
【００２３】
なお、本発明は以上のような実施例に限定されるものではなく、回転アーム２８は弾性体であればその材質、形状や回転軸２７への取付け方法は適宜変更可能である。たとえば、回転アーム２８の先端部２８ｂは、弾性体の毛を有するブラシ形状のものでもよいし、円形またはひし形形状の断面を有するゴム等の弾性体としてもよい。
【００２４】
また、回転軸２７への取付け方法も、上部にたてにすり割を設けた回転軸の外側にコイル形状の回転アーム取付け部をはめ込み、回転軸の上部にねじを切って上部からナットで締めつけてもよいし、回転軸の上部をかしめて固定してもよい。また、回転アームの一部を回転軸の上部に点溶接する方法で固定してもよい。なお、回転アーム２８をゴムの一体構成とし、回転軸に一体にモールド成形してもよい。
【００２５】
また、従来の駆動装置をそのまま使用するためには、回転アームを取り付ける軸は別に製作し、従来の駆動装置の軸にねじを切って、これに回転アームを取り付ける軸の一端ををねじ込んで取り付けてもよい。本発明に係る自動販売機の硬貨払出し装置は、券売機をはじめとしてあらゆる種類の自動販売機に適用可能である
【００２６】
【発明の効果】
以上説明したとおり、本発明の自動販売機の硬貨払出し装置によれば、駆動装置の回転軸に弾性体の回転アームを設けるといった簡単な構成により、釣銭の払出し動作が良好な高い信頼性を有する自動販売機を提供することができる。
【図面の簡単な説明】
【図１】図１は本発明による一実施例にかかる硬貨払出し装置の正面破断図。
【図２】図２は同じく平面図。
【図３】図３は従来の自動販売機用硬貨処理装置を概略的に示す側面図。
【図４】図４は同じく正面図。
【図５】図５は従来の硬貨払出し装置において硬貨収容部の切欠き部にオーバーフローした硬貨がブリッジを形成して詰まった状態を示した図。
【符号の説明】
１  硬貨
５  硬貨払出し装置
５ａ  硬貨収容部
５ｂ  払出し口
５ｃ  切欠き部
１３  オーバーフロー硬貨用シュート
１４  金庫
２１  回転ディスク
２５  駆動装置
２７  回転軸
２８  回転アーム
２８ｂ  先端部
２８ｃ  取付け部
４０  自動販売機
【図１】
0004137365.tif 000002
【図２】
0004137365.tif 000003
【図３】
0004137365.tif 000004
【図４】
0004137365.tif 000005
【図５】
0004137365.tif 000006